(57)【要約】【課題】高輝度のプロジェクタに好適に用いることのできる２灯式の照明装置であって、複数の光源装置のうちいずれかの光源装置において発光管の発光が弱まったり切れたりしても、被照明領域における面内光強度分布が不均一になることを抑制することが可能となるとともに投写画像の品質が劣化することを抑制することが可能な照明装置を提供する。【解決手段】偏光ビームコンバイナ９０と、第１の偏光光源装置４０と、第２の偏光光源装置８０とを備える照明装置１００。第１の偏光光源装置４０及び第２の偏光光源装置８０は、光源装置１０，５０と、偏光分離光学素子２０，６０と、λ／２板３０，７０とを有し、偏光ビームコンバイナ９０は、第１の偏光光源装置４０から射出されるＰ偏光成分に係る照明光束と第２の偏光光源装置８０から射出されるＳ偏光成分に係る照明光束とを合成して射出するように構成されている。【選択図】図３
2007193161.tif 000002
【特許請求の範囲】
【請求項１】
第１の光入射面と第２の光入射面とを有する偏光ビームコンバイナと、
前記第１の光入射面に配置され、第１の偏光成分に係る照明光束を射出する第１の偏光光源装置と、
前記第２の光入射面に配置され、前記第１の偏光成分に係る照明光束とは異なる偏光軸を有する第２の偏光成分に係る照明光束を射出する第２の偏光光源装置と、
前記偏光ビームコンバイナからの照明光束を複数の部分光束に分割する複数の第１小レンズをそれぞれ有する２つの第１レンズアレイと、
前記２つの第１レンズアレイの各第１小レンズに対応する複数の第２小レンズをそれぞれ有する２つの第２レンズアレイと、
前記２つの第２レンズアレイからのそれぞれの部分光束を略１種類の直線偏光成分を有する光束に変換する２つの偏光変換素子と、
前記２つの偏光変換素子からのそれぞれの光を被照明領域で重畳させる重畳レンズとを備え、
前記２つの第１レンズアレイ、前記２つの第２レンズアレイ及び前記２つの偏光変換素子のそれぞれが、前記重畳レンズの光軸を含む仮想面に対して対称に配置され、
前記第１の偏光光源装置は、
略平行な照明光束を射出する第１の光源装置と、前記第１の光源装置からの照明光束のうち第１の偏光成分に係る照明光束を透過し第２の偏光成分に係る照明光束を反射する第１の偏光分離面及び前記第１の偏光分離面で反射された第２の偏光成分に係る照明光束を前記第１の偏光分離面を透過した第１の偏光成分に係る照明光束に平行な方向に向けて反射する第１の反射面を有する第１の偏光分離光学素子と、前記第１の偏光分離光学素子の光射出面における第２の偏光成分に係る照明光束が射出される位置に配置され、第２の偏光成分に係る照明光束を第１の偏光成分に係る照明光束に変換する第１の位相差板とを有し、前記第１の光源装置からの照明光束を第１の偏光成分に係る照明光束として前記偏光ビームコンバイナの前記第１の光入射面に向けて射出し、
前記第２の偏光光源装置は、
略平行な照明光束を射出する第２の光源装置と、前記第２の光源装置からの照明光束のうち第１の偏光成分に係る照明光束を透過し第２の偏光成分に係る照明光束を反射する第２の偏光分離面及び前記第２の偏光分離面で反射された第２の偏光成分に係る照明光束を前記第２の偏光分離面を透過した第１の偏光成分に係る照明光束に平行な方向に向けて反射する第２の反射面を有する第２の偏光分離光学素子と、前記第２の偏光分離光学素子の光射出面における第１の偏光成分に係る照明光束が射出される位置に配置され、第１の偏光成分に係る照明光束を第２の偏光成分に係る照明光束に変換する第２の位相差板とを有し、前記第２の光源装置からの照明光束を第２の偏光成分に係る照明光束として前記偏光ビームコンバイナの前記第２の光入射面に向けて射出し、
前記偏光ビームコンバイナは、前記第１の偏光光源装置から射出される第１の偏光成分に係る照明光束と前記第２の偏光光源装置から射出される第２の偏光成分に係る照明光束とを合成して射出することを特徴とする照明装置。
【請求項２】
請求項１に記載の照明装置において、
前記第１の光源装置は、第１の楕円面リフレクタと、前記第１の楕円面リフレクタの第１焦点近傍に発光中心を有する第１の発光管と、前記第１の楕円面リフレクタからの集束光を前記第１の偏光分離光学素子の光入射面における前記第１の偏光分離面に対応する位置に向けて射出する第１の凹レンズとを有し、
前記第２の光源装置は、第２の楕円面リフレクタと、前記第２の楕円面リフレクタの第１焦点近傍に発光中心を有する第２の発光管と、前記第２の楕円面リフレクタからの集束光を前記第２の偏光分離光学素子の光入射面における前記第２の偏光分離面に対応する位置に向けて射出する第２の凹レンズとを有することを特徴とする照明装置。
【請求項３】
請求項２に記載の照明装置において、
前記第１の発光管には、前記第１の発光管から被照明領域側に射出される光を前記第１の発光管に向けて反射する第１の反射手段が設けられ、
前記第２の発光管には、前記第２の発光管から被照明領域側に射出される光を前記第２の発光管に向けて反射する第２の反射手段が設けられていることを特徴とする照明装置。
【請求項４】
請求項１〜３のいずれかに記載の照明装置において、
前記偏光ビームコンバイナの前記第１の光入射面と、前記第１の偏光光源装置における光射出面とは接着され、
前記偏光ビームコンバイナの前記第２の光入射面と、前記第２の偏光光源装置における光射出面とは接着されていることを特徴とする照明装置。
【請求項５】
請求項１〜４のいずれかに記載の照明装置において、
前記第１の偏光分離光学素子の光入射面と、前記第１の光源装置における前記第１の凹レンズの光射出面とは接着され、
前記第２の偏光分離光学素子の光入射面と、前記第２の光源装置における前記第２の凹レンズの光射出面とは接着されていることを特徴とする照明装置。
【請求項６】
請求項１〜３のいずれかに記載の照明装置において、
前記偏光ビームコンバイナと前記第１の偏光分離光学素子、前記第１の偏光分離光学素子と前記第１の凹レンズ、前記偏光ビームコンバイナと前記第２の偏光分離光学素子、及び前記第２の偏光分離光学素子と前記第２の凹レンズは、それぞれ離隔して配置されていることを特徴とする照明装置。
【請求項７】
請求項１〜６のいずれかに記載の照明装置において、
前記第１の位相差板及び前記第２の位相差板は、無機材料からなることを特徴とする照明装置。
【請求項８】
請求項１〜７のいずれかに記載の照明装置において、
前記２つの第１レンズアレイのそれぞれは、各第１小レンズが一方方向及び一方方向に直交する他方方向をそれぞれ６行と４列とするマトリクス状に配列されたレンズアレイあることを特徴とする照明装置。
【請求項９】
請求項１〜７のいずれかに記載の照明装置において、
前記２つの第１レンズアレイのそれぞれは、各第１小レンズが一方方向及び一方方向に直交する他方方向をそれぞれ７行と４列とするマトリクス状に配列されたレンズアレイであることを特徴とする照明装置。
【請求項１０】
請求項１〜９のいずれかに記載の照明装置において、
各第２レンズアレイにおける他方方向に沿った長さは、各第１レンズアレイにおける他方方向に沿った長さと略同一であることを特徴とする照明装置。
【請求項１１】
請求項１〜９のいずれかに記載の照明装置において、
各第２レンズアレイにおける他方方向に沿った長さは、各第１レンズアレイにおける他方方向に沿った長さよりも長いことを特徴とする照明装置。
【請求項１２】
請求項１〜１１のいずれかに記載の照明装置において、
前記２つの偏光変換素子のそれぞれは、
前記第２レンズアレイから射出される光束のうち一方の偏光成分に係る光束を透過し他方の偏光成分に係る光束を前記重畳レンズの光軸から遠ざかる方向に向けて反射する偏光分離面と、
前記偏光分離面で反射された他方の偏光成分に係る光束を前記偏光分離面を透過した一方の偏光成分に係る光束に平行な方向に向けて反射する反射面と、
前記偏光変換素子の光射出面における他方の偏光成分に係る光束が射出される位置に配置され、他方の偏光成分に係る光束を一方の偏光成分に係る光束に変換する位相差板とを有することを特徴とする照明装置。
【請求項１３】
請求項１〜１２のいずれかに記載の照明装置と、
前記照明装置からの光を画像情報に応じて変調する電気光学変調装置と、
前記電気光学変調装置により変調された光を投写する投写光学系とを備えることを特徴とするプロジェクタ。
【発明の詳細な説明】
【技術分野】
【０００１】
本発明は、照明装置及びプロジェクタに関する。
【背景技術】
【０００２】
従来より高輝度のプロジェクタが求められており、その要求に応えるものとして２つの光源装置からの光を三角プリズムで合成する構成を有するプロジェクタ（いわゆる２灯式のプロジェクタ）が提案されている（例えば、特許文献１参照。）。
【０００３】
このような従来の２灯式のプロジェクタによれば、照明装置として、２つの光源装置を有する照明装置を用いているため、従来より高輝度のプロジェクタを構成することができる。
【０００４】
【特許文献１】特開２００２−７２０８３号公報（図４）
【発明の開示】
【発明が解決しようとする課題】
【０００５】
しかしながら、このような従来の２灯式のプロジェクタにおいては、２つの光源装置のうちいずれかの光源装置において発光管の発光が弱まったり切れたりすると、被照明領域における面内光強度分布が不均一になり、その結果、投写画像の品質が劣化するという問題があった。この問題は、２灯式のプロジェクタのみに見られる問題ではなく、３組以上の光源装置を有するプロジェクタにおいても共通して見られる問題である。
【０００６】
そこで、本発明は、このような問題を解決するためになされたもので、高輝度のプロジェクタに好適に用いることのできる照明装置であって、複数の光源装置のうちいずれの光源装置において発光管の発光が弱まったり切れたりしても、被照明領域における面内光強度分布が不均一になることを抑制することが可能となるとともに投写画像の品質が劣化することを抑制することが可能な照明装置を提供することを目的とする。また、本発明は、このような照明装置を備えたプロジェクタを提供することを目的とする。
【課題を解決するための手段】
【０００７】
本発明者は、上記目的を達成するため、従来の２灯式のプロジェクタにおいて、２つの光源装置のうち一方の光源装置において発光管の発光が弱まったり切れたりすると、被照明領域における面内光強度分布が不均一になる原因を徹底的に調査した。その結果、その原因は、２つの光源装置からの照明光束が所定の角度をもって三角プリズムで合成されるために、２つの光源装置からの照明光束が、被照明領域では同じ照明範囲で重畳されているが同じ角度をもって重畳されていないことに起因することが判明した。本発明者は、この知見に基づき、２つの光源装置からの照明光束が同じ角度をもって重畳されるようにすると、上記問題を解決することができることに想到し、本発明を完成させるに至った。
【０００８】
すなわち、本発明の照明装置は、第１の光入射面と第２の光入射面とを有する偏光ビームコンバイナと、前記第１の光入射面に配置され、第１の偏光成分に係る照明光束を射出する第１の偏光光源装置と、前記第２の光入射面に配置され、前記第１の偏光成分に係る照明光束とは異なる偏光軸を有する第２の偏光成分に係る照明光束を射出する第２の偏光光源装置と、前記偏光ビームコンバイナからの照明光束を複数の部分光束に分割する複数の第１小レンズをそれぞれ有する２つの第１レンズアレイと、前記２つの第１レンズアレイの各第１小レンズに対応する複数の第２小レンズをそれぞれ有する２つの第２レンズアレイと、前記２つの第２レンズアレイからのそれぞれの部分光束を略１種類の直線偏光成分を有する光束に変換する２つの偏光変換素子と、前記２つの偏光変換素子からのそれぞれの光を被照明領域で重畳させる重畳レンズとを備え、前記２つの第１レンズアレイ、前記２つの第２レンズアレイ及び前記２つの偏光変換素子のそれぞれが、前記重畳レンズの光軸を含む仮想面に対して対称に配置され、前記第１の偏光光源装置は、略平行な照明光束を射出する第１の光源装置と、前記第１の光源装置からの照明光束のうち第１の偏光成分に係る照明光束を透過し第２の偏光成分に係る照明光束を反射する第１の偏光分離面及び前記第１の偏光分離面で反射された第２の偏光成分に係る照明光束を前記第１の偏光分離面を透過した第１の偏光成分に係る照明光束に平行な方向に向けて反射する第１の反射面を有する第１の偏光分離光学素子と、前記第１の偏光分離光学素子の光射出面における第２の偏光成分に係る照明光束が射出される位置に配置され、第２の偏光成分に係る照明光束を第１の偏光成分に係る照明光束に変換する第１の位相差板とを有し、前記第１の光源装置からの照明光束を第１の偏光成分に係る照明光束として前記偏光ビームコンバイナの前記第１の光入射面に向けて射出し、前記第２の偏光光源装置は、略平行な照明光束を射出する第２の光源装置と、前記第２の光源装置からの照明光束のうち第１の偏光成分に係る照明光束を透過し第２の偏光成分に係る照明光束を反射する第２の偏光分離面及び前記第２の偏光分離面で反射された第２の偏光成分に係る照明光束を前記第２の偏光分離面を透過した第１の偏光成分に係る照明光束に平行な方向に向けて反射する第２の反射面を有する第２の偏光分離光学素子と、前記第２の偏光分離光学素子の光射出面における第１の偏光成分に係る照明光束が射出される位置に配置され、第１の偏光成分に係る照明光束を第２の偏光成分に係る照明光束に変換する第２の位相差板とを有し、前記第２の光源装置からの照明光束を第２の偏光成分に係る照明光束として前記偏光ビームコンバイナの前記第２の光入射面に向けて射出し、前記偏光ビームコンバイナは、前記第１の偏光光源装置から射出される第１の偏光成分に係る照明光束と前記第２の偏光光源装置から射出される第２の偏光成分に係る照明光束とを合成して射出することを特徴とする。
【０００９】
このため、本発明の照明装置によれば、第１の偏光光源装置及び第２の偏光光源装置から互いに異なる偏光軸を有する直線偏光を射出させ、これらの直線偏光を偏光ビームコンバイナにおける第１の光入射面及び第２の光入射面にそれぞれ入射させることにより、偏光ビームコンバイナからは、２つの光源装置（第１の光源装置及び第２の光源装置）からの照明光束が同じ角度をもって重畳された形で射出されるようになる。このため、２つの光源装置のうちいずれの光源装置において発光管の発光が弱まったり切れたりしても、被照明領域における面内光強度分布が不均一になることを抑制することが可能となるとともに投写画像の品質が劣化することを抑制することが可能な照明装置を提供することが可能になる。
【００１０】
また、本発明の照明装置によれば、偏光ビームコンバイナの光路後段に第１レンズアレイ、第２レンズアレイ及び偏光変換素子がそれぞれ２つずつ配置された構成を有しているため、偏光ビームコンバイナの光路後段に第１レンズアレイ、第２レンズアレイ及び偏光変換素子がそれぞれ１つずつ配置された構成を有するものと比べて、各第１レンズアレイ、第２レンズアレイ及び偏光変換素子の大きさを小さくすることができ、第１レンズアレイ、第２レンズアレイ及び偏光変換素子の製造が容易となるという効果もある。
【００１１】
なお、本発明の偏光光源装置を２組以上用いることによって、２つの光源装置を有する２灯式のプロジェクタのみならず、複数の光源装置を有するプロジェクタを構成できるようになる。
【００１２】
本発明の照明装置においては、前記第１の光源装置は、第１の楕円面リフレクタと、前記第１の楕円面リフレクタの第１焦点近傍に発光中心を有する第１の発光管と、前記第１の楕円面リフレクタからの集束光を前記第１の偏光分離光学素子の光入射面における前記第１の偏光分離面に対応する位置に向けて射出する第１の凹レンズとを有し、前記第２の光源装置は、第２の楕円面リフレクタと、前記第２の楕円面リフレクタの第１焦点近傍に発光中心を有する第２の発光管と、前記第２の楕円面リフレクタからの集束光を前記第２の偏光分離光学素子の光入射面における前記第２の偏光分離面に対応する位置に向けて射出する第２の凹レンズとを有することが好ましい。
【００１３】
このように構成することにより、第１の光源装置及び第２の光源装置からは楕円面リフレクタの大きさよりも小さな略平行光束が射出されるようになるため、プロジェクタの小型化を図ることができる。
【００１４】
本発明の照明装置においては、前記第１の発光管には、前記第１の発光管から被照明領域側に射出される光を前記第１の発光管に向けて反射する第１の反射手段が設けられ、前記第２の発光管には、前記第２の発光管から被照明領域側に射出される光を前記第２の発光管に向けて反射する第２の反射手段が設けられていることが好ましい。
【００１５】
このように構成することにより、発光管から被照明領域側に放射される光が発光管に向けて反射されるため、発光管の被照明領域側端部を覆うような大きさに各楕円面リフレクタの大きさを設定することを必要とせず、各楕円面リフレクタの小型化を図ることができ、結果としてプロジェクタの小型化を図ることができる。
また、各楕円面リフレクタの小型化を図ることができることにより、楕円面リフレクタから楕円面リフレクタの第２焦点に向けて集束するビームの集束角やビームスポットを小さくすることができるため、各凹レンズの大きさ、各偏光分離光学素子の大きさ、偏光ビームコンバイナの大きさをさらに小さくすることができ、照明装置のさらなる小型化を図ることができる。
【００１６】
本発明の照明装置においては、前記偏光ビームコンバイナの前記第１の光入射面と、前記第１の偏光光源装置における光射出面とは接着され、前記偏光ビームコンバイナの前記第２の光入射面と、前記第２の偏光光源装置における光射出面とは接着されていることが好ましい。
【００１７】
本発明の照明装置においては、前記第１の偏光分離光学素子の光入射面と、前記第１の光源装置における前記第１の凹レンズの光射出面とは接着され、前記第２の偏光分離光学素子の光入射面と、前記第２の光源装置における前記第２の凹レンズの光射出面とは接着されていることが好ましい。
【００１８】
このように構成することにより、上記部品間における不要な反射が低減するため、光利用効率が向上するとともに迷光レベルが低減する。
【００１９】
本発明の照明装置においては、前記偏光ビームコンバイナと前記第１の偏光分離光学素子、前記第１の偏光分離光学素子と前記第１の凹レンズ、前記偏光ビームコンバイナと前記第２の偏光分離光学素子、及び前記第２の偏光分離光学素子と前記第２の凹レンズは、それぞれ離隔して配置されていることも好ましい。
【００２０】
このように構成した場合には、各光学要素間の位置調整を容易に行うことができるようになる。また、各光学要素に及ぼす熱的影響を軽減することができる。
【００２１】
この場合、偏光ビームコンバイナの第１の光入射面及び第２の光入射面、第１の偏光分離光学素子の光入射面及び光射出面、第２の偏光分離光学素子の光入射面及び光射出面、第１の凹レンズの光入射面及び光射出面並びに第２の凹レンズの光入射面及び光射出面には、減反射膜がコーティングされていることが好ましい。
【００２２】
これにより、上記の各光学要素に入射する照明光束及び上記の各光学要素から射出される照明光束における不要な反射の発生を抑制することができる。
【００２３】
本発明の照明装置においては、前記第１の位相差板及び前記第２の位相差板は、無機材料からなることが好ましい。
【００２４】
第１の偏光分離光学素子及び第２の偏光分離光学素子から射出される光は、単位面積当たりの光強度が極めて強いため、第１の位相差板及び第２の位相差板で少しの割合でも光が吸収されると多量の熱が発生し、第１の位相差板及び第２の位相差板の温度が上昇してしまう。このため、第１の位相差板及び第２の位相差板として、耐熱性の高い無機材料からなるものを用いることが好ましい。耐熱性の高い無機材料としては、雲母や水晶などを例示することができる。
【００２５】
本発明の照明装置においては、前記２つの第１レンズアレイのそれぞれは、各第１小レンズが一方方向及び一方方向に直交する他方方向をそれぞれ６行と４列とするマトリクス状に配列されたレンズアレイであることが好ましい。
【００２６】
このように構成することにより、レンズアレイによる十分な光均一化効果を得ながら光路後段に配置される偏光変換素子を比較的単純で小型の構造にすることが可能となる。本発明の照明装置は、画像形成領域のアスペクト比（縦横比）が３：４である電気光学変調装置を備えるプロジェクタに好適な照明装置となる。
【００２７】
本発明の照明装置においては、前記２つの第１レンズアレイのそれぞれは、各第１小レンズが一方方向及び一方方向に直交する他方方向をそれぞれ７行と４列とするマトリクス状に配列されたレンズアレイであることが好ましい。
【００２８】
このように構成することにより、レンズアレイによる十分な光均一化効果を得ながら光路後段に配置される偏光変換素子を比較的単純で小型の構造にすることが可能となる。本発明の照明装置は、画像形成領域のアスペクト比（縦横比）が９：１６であるワイドビジョン用の電気光学変調装置を備えるプロジェクタに好適な照明装置となる。
【００２９】
本発明の照明装置においては、各第２レンズアレイにおける他方方向に沿った長さは、各第１レンズアレイにおける他方方向に沿った長さと略同一であることが好ましい。
【００３０】
このように構成することにより、第１レンズアレイ及び第２レンズアレイとして偏心のない又は偏心の小さいレンズアレイを用いることが可能となるため、第１レンズアレイ及び第２レンズアレイの製造が容易となる。
【００３１】
本発明の照明装置においては、各第２レンズアレイにおける他方方向に沿った長さは、各第１レンズアレイにおける他方方向に沿った長さよりも長いことが好ましい。
【００３２】
このように構成することにより、第２レンズアレイにおける各第２小レンズの大きさをある程度大きくすることができるため、第１レンズアレイにおける各第１小レンズのアーク像を各第２小レンズ内に収めることが容易となり、光利用効率の向上を図ることが可能となる。
【００３３】
本発明の照明装置においては、前記２つの偏光変換素子のそれぞれは、前記第２レンズアレイから射出される光束のうち一方の偏光成分に係る光束を透過し他方の偏光成分に係る光束を前記重畳レンズの光軸から遠ざかる方向に向けて反射する偏光分離面と、前記偏光分離面で反射された他方の偏光成分に係る光束を前記偏光分離面を透過した一方の偏光成分に係る光束に平行な方向に向けて反射する反射面と、前記偏光変換素子の光射出面における他方の偏光成分に係る光束が射出される位置に配置され、他方の偏光成分に係る光束を一方の偏光成分に係る光束に変換する位相差板とを有することが好ましい。
【００３４】
このように構成することにより、重畳レンズの光軸近傍における光束の密度を減らすことができ、偏光変換素子の配置の自由度を高めることが可能となる。
【００３５】
本発明のプロジェクタは、本発明の照明装置と、前記照明装置からの光を画像情報に応じて変調する電気光学変調装置と、前記電気光学変調装置により変調された光を投写する投写光学系とを備えることを特徴とする。
【００３６】
このため、本発明のプロジェクタによれば、上記したような優れた本発明の照明装置を備えているため、高輝度のプロジェクタであって、複数の光源装置のうちいずれの光源装置において発光管の発光が弱まったり切れたりしても、投写画像の品質が劣化することを抑制することが可能なプロジェクタとなる。
【発明を実施するための最良の形態】
【００３７】
以下、本発明の照明装置及びプロジェクタについて、図に示す実施の形態に基づいて説明する。
【００３８】
［実施形態１］
図１は、実施形態１に係る照明装置１００及びプロジェクタ１０００を説明するために示す図である。図１（ａ）はプロジェクタ１０００の光学系を示す平面図であり、図１（ｂ）はプロジェクタ１０００の光学系を示す側面図であり、図１（ｃ）は第１の凹レンズ１８を第１の発光管１２側から見た図であり、図１（ｄ）は第２の凹レンズ５８を第２の発光管５２側から見た図である。図２及び図３は、実施形態１に係る照明装置１００の要部を説明するために示す図である。図４は、第１レンズアレイ１２０，１３０の正面図である。なお、図４においては、照明光束の輪郭Ｌも併せて示している。図５は、実施形態１に係るプロジェクタ１０００のインテグレータ光学系における光線を示す図である。図６は、第１の光源装置１０の第１の発光管１２の発光が切れたときの照明状態を説明するために示す図である。図７は、第２の光源装置５０の第２の発光管５２の発光が切れたときの照明状態を説明するために示す図である。
【００３９】
なお、以下の説明においては、互いに直交する３つの方向をそれぞれｚ軸方向（図１（ａ）における照明光軸１００ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００４０】
実施形態１に係るプロジェクタ１０００は、図１に示すように、いわゆる２灯式の照明装置１００と、照明装置１００からの照明光束を３つの色光に分離して被照明領域に導光する色分離導光光学系２００と、色分離導光光学系２００で分離された３つの色光のそれぞれを画像情報に応じて変調する電気光学変調装置としての３つの液晶装置４００Ｒ，４００Ｇ，４００Ｂと、液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００４１】
実施形態１に係る照明装置１００は、図１、図２及び図４に示すように、第１の偏光光源装置４０と、第２の偏光光源装置８０と、第１の偏光光源装置４０及び第２の偏光光源装置８０から射出される照明光束を合成して射出する偏光ビームコンバイナ９０と、偏光ビームコンバイナ９０からの照明光束を複数の部分光束に分割する複数の第１小レンズ１２２，１３２を有する２つの第１レンズアレイ１２０，１３０と、２つの第１レンズアレイ１２０，１３０の複数の第１小レンズ１２２，１３２に対応する複数の第２小レンズ１４２，１５２を有する２つの第２レンズアレイ１４０，１５０と、２つの第２レンズアレイ１４０，１５０からの部分光束を略１種類の直線偏光成分を有する光束に変換する２つの偏光変換素子１６０，１７０と、２つの偏光変換光学系１６０，１７０からの光を被照明領域で重畳させる重畳レンズ１８０とを備えた照明装置である。
【００４２】
まず、第１の偏光光源装置４０、第２の偏光光源装置８０及び偏光ビームコンバイナ９０の構成を説明する。
【００４３】
第１の偏光光源装置４０は、図１〜図３に示すように、略平行な照明光束を射出する第１の光源装置１０と、第１の光源装置１０からの照明光束をＰ偏光成分（第１の偏光成分）に係る照明光束とＳ偏光成分（第２の偏光成分）に係る照明光束とに分離する第１の偏光分離光学素子２０と、第１の偏光分離光学素子２０の光射出面におけるＳ偏光成分に係る照明光束が射出される位置に配置される第１の位相差板としての第１のλ／２板３０とを有している。
【００４４】
第１の光源装置１０は、第１の楕円面リフレクタ１４と、第１の楕円面リフレクタ１４の第１焦点近傍に発光中心を有する第１の発光管１２と、第１の楕円面リフレクタ１４からの集束光を第１の偏光分離光学素子２０の光入射面における第１の偏光分離面２２に対応する位置に向けて射出する第１の凹レンズ１８とを有している。第１の発光管１２には、第１の発光管１２から被照明領域側に射出される光を第１の発光管１２に向けて反射する第１の反射手段としての第１の補助ミラー１６が設けられている。第１の光源装置１０は、光軸１０ａｘを中心軸とする光束を射出する。
【００４５】
第１の発光管１２は、管球部と、管球部の両側に延びる一対の封止部とを有している。
第１の楕円面リフレクタ１４は、第１の発光管１２の一方の封止部に挿通・固着される筒状の首状部と、第１の発光管１２から放射された光を第２焦点位置に向けて反射する反射凹面とを有している。
【００４６】
第１の補助ミラー１６は、第１の発光管１２の管球部を挟んで第１の楕円面リフレクタ１４と対向して設けられ、第１の発光管１２から放射された光のうち第１の楕円面リフレクタ１４に向かわない光を第１の発光管１２に戻し第１の楕円面リフレクタ１４に入射させる。
【００４７】
第１の凹レンズ１８は、第１の楕円面リフレクタ１４の被照明領域側に配置されている。そして、第１の楕円面リフレクタ１４からの光を第１の偏光分離光学素子２０に向けて射出するように構成されている。
【００４８】
第１の偏光分離光学素子２０は、図２及び図３に示すように、第１の光源装置１０からの照明光束のうちＰ偏光成分に係る照明光束を透過しＳ偏光成分に係る照明光束を第１の光源装置１０の光軸１０ａｘから遠ざかる方向に向けて反射する第１の偏光分離面２２と、第１の偏光分離面２２で反射されたＳ偏光成分に係る照明光束を第１の偏光分離面２２を透過したＰ偏光成分に係る照明光束に平行な方向に向けて反射する第１の反射面２４とを有している。
【００４９】
第１のλ／２板３０は、第１の偏光分離光学素子２０の光射出面におけるＳ偏光成分に係る照明光束が射出される位置に配置されている。そして、Ｓ偏光成分に係る照明光束をＰ偏光成分に係る照明光束に変換する。
【００５０】
第１の偏光光源装置４０は、上記のように構成されているため、第１の光源装置１０からの照明光束をＰ偏光成分に係る照明光束に揃えて射出することが可能となる。
【００５１】
なお、第１の偏光分離光学素子２０は、Ｐ偏光成分に係る照明光束を透過しＳ偏光成分に係る照明光束を反射する第１の偏光分離面２２を、Ｓ偏光成分に係る照明光束を透過しＰ偏光成分に係る照明光束を反射する他の第１の偏光分離面に替えることも可能である。この場合は、他の第１の偏光分離面を透過したＳ偏光成分に係る照明光束が射出される位置に第１のλ／２板３０が配置される。このように他の第１の偏光分離面を備えた第１の偏光分離光学素子としても、第１の偏光光源装置４０は、第１の光源装置１０からの照明光束をＰ偏光成分に係る照明光束に揃えて射出することが可能となる。
【００５２】
第２の偏光光源装置８０は、図１〜図３に示すように、略平行な照明光束を射出する第２の光源装置５０と、第２の光源装置５０からの照明光束をＰ偏光成分（第１の偏光成分）に係る照明光束とＳ偏光成分（第２の偏光成分）に係る照明光束とに分離する第２の偏光分離光学素子６０と、第２の偏光分離光学素子６０の光射出面におけるＰ偏光成分に係る照明光束が射出される位置に配置される第２の位相差板としての第２のλ／２板７０とを有している。
【００５３】
第２の光源装置５０は、第２の楕円面リフレクタ５４と、第２の楕円面リフレクタ５４の第１焦点近傍に発光中心を有する第２の発光管５２と、第２の楕円面リフレクタ５４からの集束光を第２の偏光分離光学素子６０の光入射面における第２の偏光分離面６２に対応する位置に向けて射出する第２の凹レンズ５８とを有している。第２の発光管５２には、第２の発光管５２から被照明領域側に射出される光を第２の発光管５２に向けて反射する第２の反射手段としての第２の補助ミラー５６が設けられている。第２の光源装置５０は、光軸５０ａｘを中心軸とする光束を射出する。
【００５４】
第２の発光管５２は、管球部と、管球部の両側に延びる一対の封止部とを有している。
第２の楕円面リフレクタ５４は、第２の発光管５２の一方の封止部に挿通・固着される筒状の首状部と、第２の発光管５２から放射された光を第２焦点位置に向けて反射する反射凹面とを有している。
【００５５】
第２の補助ミラー５６は、第２の発光管５２の管球部を挟んで第２の楕円面リフレクタ５４と対向して設けられ、第２の発光管５２から放射された光のうち第２の楕円面リフレクタ５４に向かわない光を第２の発光管５２に戻し第２の楕円面リフレクタ５４に入射させる。
【００５６】
第２の凹レンズ５８は、第２の楕円面リフレクタ５４の被照明領域側に配置されている。そして、第２の楕円面リフレクタ５４からの光を第２の偏光分離光学素子６０に向けて射出するように構成されている。
【００５７】
第２の偏光分離光学素子６０は、図２及び図３に示すように、第２の光源装置５０からの照明光束のうちＰ偏光成分に係る照明光束を透過しＳ偏光成分に係る照明光束を第２の光源装置５０の光軸５０ａｘから遠ざかる方向に向けて反射する第２の偏光分離面６２と、第２の偏光分離面６２で反射されたＳ偏光成分に係る照明光束を第２の偏光分離面６２を透過したＰ偏光成分に係る照明光束に平行な方向に向けて反射する第２の反射面６４とを有している。
【００５８】
第２のλ／２板７０は、第２の偏光分離光学素子６０の光射出面におけるＰ偏光成分に係る照明光束が射出される位置に配置されている。そして、Ｐ偏光成分に係る照明光束をＳ偏光成分に係る照明光束に変換する。
【００５９】
第２の偏光光源装置８０は、上記のように構成されているため、第２の光源装置５０からの照明光束をＳ偏光成分に係る照明光束に揃えて射出することが可能となる。
【００６０】
なお、第２の偏光分離光学素子６０は、Ｐ偏光成分に係る照明光束を透過しＳ偏光成分に係る照明光束を反射する第２の偏光分離面６２を、Ｓ偏光成分に係る照明光束を透過しＰ偏光成分に係る照明光束を反射する他の第２の偏光分離面に替えることも可能である。この場合は、他の第２の偏光分離面で反射されたＰ偏光成分に係る照明光束が射出される位置に第２のλ／２板７０が配置される。このように他の第２の偏光分離面を備えた第２の偏光分離光学素子としても、第２の偏光光源装置８０は、第２の光源装置５０からの照明光束をＳ偏光成分に係る照明光束に揃えて射出することが可能となる。
【００６１】
偏光ビームコンバイナ９０は、第１の光入射面９４を有する三角柱プリズムと第２の光入射面９６を有する三角柱プリズムとを貼り合わせた平面視略正方形状をなし、三角柱プリズム同士を貼り合わせた界面には、Ｐ偏光成分に係る照明光束を透過しＳ偏光成分に係る照明光束を反射する偏光合成面９２が形成されている。第１の偏光光源装置４０から射出され第１の光入射面９４に入射したＰ偏光成分に係る照明光束は、偏光合成面９２を透過する。第２の偏光光源装置８０から射出され第２の光入射面９６に入射したＳ偏光成分に係る照明光束は、偏光合成面９２で反射される。これにより、第１の偏光光源装置４０から射出されるＰ偏光成分に係る照明光束と第２の偏光光源装置８０から射出されるＳ偏光成分に係る照明光束とが合成されて、偏光ビームコンバイナ９０から各第１レンズアレイ１２０，１３０に向けて射出されることとなる。
このような偏光ビームコンバイナ９０は、偏光ビームスプリッタと同様の構成を備えるものであるが、光の通過方向が偏光ビームスプリッタとは逆になっており、互いに偏光方向が垂直である２種類の直線偏光を合成し、無偏光の光を射出する。
【００６２】
次に、偏光ビームコンバイナ９０よりも光路後段に配置された各光学要素の構成を説明する。
【００６３】
第１レンズアレイ１２０，１３０は、図４に示すように、偏光ビームコンバイナ９０からの光を複数の部分光束に分割する光束分割光学素子としての機能を有し、複数の第１小レンズ１２２，１３２がｚ軸に垂直な面内に６行・４列のマトリクス状に配列された構成を有している。第１レンズアレイ１２０，１３０の各第１小レンズ１２２，１３２の輪郭形状は、液晶装置４００Ｒ，４００Ｇ，４００Ｂの画像形成領域の形状とほぼ相似形をなすように設定されている。実施形態１に係る照明装置１００においては、各第１小レンズ１２２，１３２は、「短辺：長辺＝３：４の長方形」の平面形状を有している。
【００６４】
第２レンズアレイ１４０，１５０は、第１レンズアレイ１２０，１３０と略同様な構成を有し、ｚ軸に垂直な面内に複数の第２小レンズ１４２，１５２が６行・４列のマトリクス状に配列された構成を有している。第２レンズアレイ１４０，１５０は、重畳レンズ１８０とともに、第１レンズアレイ１２０，１３０の各第１小レンズ１２２，１３２の像を液晶装置４００Ｒ，４００Ｇ，４００Ｂの画像形成領域近傍に結像させる機能を有する。
【００６５】
偏光変換素子１６０，１７０は、第１レンズアレイ１２０，１３０により分割された各部分光束の偏光方向を、偏光方向の揃った略１種類の直線偏光光として射出する偏光変換素子である。
【００６６】
偏光変換素子１６０は、第２レンズアレイ１４０から射出される光束のうちＰ偏光成分（一方の偏光成分）に係る光束を透過しＳ偏光成分（他方の偏光成分）に係る光束をシステム光軸ＯＣから遠ざかる方向（ｘ軸方向）に向けて反射する偏光分離面１６２と、偏光分離面１６２で反射されたＳ偏光成分に係る光束を偏光分離面１６２を透過したＰ偏光成分に係る光束に平行な方向（ｚ軸方向）に向けて反射する反射面１６４と、偏光変換素子１６０の光射出面におけるＰ偏光成分に係る光束が射出される位置に配置され、Ｐ偏光成分に係る光束をＳ偏光成分に係る光束に変換する位相差板としてのλ／２板１６６とを有している。
【００６７】
偏光変換素子１７０も、偏光変換素子１６０と同様の構成を有し、第２レンズアレイ１５０から射出される光束のうちＰ偏光成分（一方の偏光成分）に係る光束を透過しＳ偏光成分（他方の偏光成分）に係る光束をシステム光軸ＯＣから遠ざかる方向（ｘ軸方向）に向けて反射する偏光分離面１７２と、偏光分離面１７２で反射されたＳ偏光成分に係る光束を偏光分離面１７２を透過したＰ偏光成分に係る光束に平行な方向（ｚ軸方向）に向けて反射する反射面１７４と、偏光変換素子１７０の光射出面におけるＰ偏光成分に係る光束が射出される位置に配置され、Ｐ偏光成分に係る光束をＳ偏光成分に係る光束に変換する位相差板としてのλ／２板１７６とを有している。
【００６８】
重畳レンズ１８０は、第１レンズアレイ１２０，１３０、第２レンズアレイ１４０，１５０及び偏光変換素子１６０，１７０を経た複数の部分光束を集光して液晶装置４００Ｒ，４００Ｇ，４００Ｂの画像形成領域近傍に重畳させるための光学素子である。重畳レンズ１８０の光軸と照明装置１００のシステム光軸ＯＣとが略一致するように、重畳レンズ１８０が配置されている。なお、図１、図２及び図４に示す重畳レンズ１８０は１枚のレンズで構成されているが、複数のレンズを組み合わせた複合レンズで構成されていてもよい。
【００６９】
第１レンズアレイ１２０、第２レンズアレイ１４０及び偏光変換素子１６０と、第１レンズアレイ１３０、第２レンズアレイ１５０及び偏光変換素子１７０とは、図２に示すように、システム光軸ＯＣ（重畳レンズ１８０の光軸）を含む仮想面に対して対称に配置されている。
【００７０】
色分離導光光学系２００は、図１に示すように、第１のダイクロイックミラー２１０及び第２のダイクロイックミラー２２０と、反射ミラー２３０，２４０，２５０と、入射側レンズ２６０と、リレーレンズ２７０とを有している。色分離導光光学系２００は、重畳レンズ１８０から射出される照明光束を、赤色光、緑色光及び青色光の３つの色光に分離して、それぞれの色光を照明対象となる３つの液晶装置４００Ｒ，４００Ｇ，４００Ｂに導く機能を有している。
【００７１】
第１のダイクロイックミラー２１０及び第２のダイクロイックミラー２２０は、基板上に所定の波長領域の光束を反射し、他の波長領域の光束を透過する波長選択膜が形成された光学素子である。第１のダイクロイックミラー２１０は、赤色光成分を反射し、その他の色光成分を透過させるミラーである。第２のダイクロイックミラー２２０は、緑色光成分を反射し、青色光成分を透過させるミラーである。
【００７２】
第１のダイクロイックミラー２１０で反射された赤色光成分は、反射ミラー２３０により曲折され、集光レンズ３００Ｒを介して赤色光用の液晶装置４００Ｒの画像形成領域に入射する。
【００７３】
集光レンズ３００Ｒは、重畳レンズ１８０からの各部分光束を各主光線に対して略平行な光束に変換するために設けられている。他の液晶装置４００Ｇ，４００Ｂの光路前段に配置された集光レンズ３００Ｇ，３００Ｂも、集光レンズ３００Ｒと同様に構成されている。
【００７４】
第１のダイクロイックミラー２１０を透過した緑色光成分及び青色光成分のうち緑色光成分は、第２のダイクロイックミラー２２０で反射され、集光レンズ３００Ｇを通過して緑色光用の液晶装置４００Ｇの画像形成領域に入射する。一方、青色光成分は、第２のダイクロイックミラー２２０を透過し、入射側レンズ２６０、入射側の反射ミラー２４０、リレーレンズ２７０、射出側の反射ミラー２５０及び集光レンズ３００Ｂを通過して青色光用の液晶装置４００Ｂの画像形成領域に入射する。入射側レンズ２６０、リレーレンズ２７０及び反射ミラー２４０，２５０は、第２のダイクロイックミラー２２０を透過した青色光成分を液晶装置４００Ｂまで導く機能を有している。
【００７５】
なお、青色光の光路にこのような入射側レンズ２６０、リレーレンズ２７０及び反射ミラー２４０，２５０が設けられているのは、青色光の光路の長さが他の色光の光路の長さよりも長いため、光の発散等による光の利用効率の低下を防止するためである。実施形態１に係るプロジェクタ１０００においては、青色光の光路の長さが長いのでこのような構成とされているが、赤色光の光路の長さを長くして、入射側レンズ２６０、リレーレンズ２７０及び反射ミラー２４０，２５０を赤色光の光路に用いる構成も考えられる。
【００７６】
液晶装置４００Ｒ，４００Ｇ，４００Ｂは、照明光束を画像情報に応じて変調してカラー画像を形成するものであり、照明装置１００の照明対象となる。
液晶装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像情報に従って、入射側偏光板から射出された１種類の直線偏光の偏光方向を変調する。
液晶装置４００Ｒ,４００Ｇ,４００Ｂとしては、画像形成領域が「短辺：長辺＝３：４の長方形」の平面形状を有する液晶装置を用いている。
【００７７】
なお、図示を省略したが、各集光レンズ３００Ｒ，３００Ｇ，３００Ｂと各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって入射する各色光の光変調が行われる。
【００７８】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００７９】
クロスダイクロイックプリズム５００から射出されたカラー画像は、投写光学系６００によって拡大投写され、スクリーンＳＣＲ上で大画面画像を形成する。
【００８０】
以上のように構成された実施形態１に係る照明装置１００によれば、第１の偏光光源装置４０及び第２の偏光光源装置８０から互いに異なる偏光軸を有する直線偏光を射出させ、これらの直線偏光を偏光ビームコンバイナ９０における第１の光入射面９４及び第２の光入射面９６にそれぞれ入射させることにより、偏光ビームコンバイナ９０からは、２つの光源装置（第１の光源装置１０及び第２の光源装置５０）からの照明光束が同じ角度をもって重畳された形で射出されるようになる。このため、図６及び図７に示すように、２つの光源装置のうちいずれの光源装置において発光管の発光が弱まったり切れたりしても、被照明領域における面内光強度分布が不均一になることを抑制することが可能となるとともに投写画像の品質が劣化することを抑制することが可能となる。
【００８１】
また、実施形態１に係る照明装置１００によれば、偏光ビームコンバイナ９０の光路後段に２つの第１レンズアレイ１２０，１３０、２つの第２レンズアレイ１４０，１５０及び２つの偏光変換素子１６０，１７０が配置された構成を有しているため、偏光ビームコンバイナの光路後段に第１レンズアレイ、第２レンズアレイ及び偏光変換素子がそれぞれ１つずつ配置された構成を有するものと比べて、各第１レンズアレイ１２０，１３０、第２レンズアレイ１４０，１５０及び偏光変換素子１６０，１７０の大きさを小さくすることができ、第１レンズアレイ１２０，１３０、第２レンズアレイ１４０，１５０及び偏光変換素子１６０，１７０の製造が容易となるという効果もある。
【００８２】
なお、実施形態１に係る照明装置１００を２組以上用いることによって、２つの光源装置を有する２灯式のプロジェクタのみならず、４組以上の光源装置を有するプロジェクタを構成できるようになる。
【００８３】
実施形態１に係る照明装置１００においては、上記したように、第１の光源装置１０は、第１の楕円面リフレクタ１４と、第１の発光管１２と、第１の凹レンズ１８とを有し、第２の光源装置５０は、第２の楕円面リフレクタ５４と、第２の発光管５２と、第２の凹レンズ５８とを有している。
【００８４】
このため、第１の光源装置１０及び第２の光源装置５０からは各楕円面リフレクタ１４，５４の大きさよりも小さな平行光束が射出されるようになるため、プロジェクタの小型化を図ることができる。
【００８５】
実施形態１に係る照明装置１００においては、上記したように、第１の発光管１２及び第２の発光管５２には、反射手段としての第１の補助ミラー１６及び第２の補助ミラー５６がそれぞれ設けられている。
【００８６】
このため、各発光管１２，５２から被照明領域側に放射される光が各発光管１２，５２に向けて反射されるため、各発光管１２，５２の被照明領域側端部を覆うような大きさに各楕円面リフレクタ１４，５４の大きさを設定することを必要とせず、各楕円面リフレクタ１４，５４の小型化を図ることができ、結果としてプロジェクタの小型化を図ることができる。
また、各楕円面リフレクタ１４，５４の小型化を図ることができることにより、各楕円面リフレクタ１４，５４から各楕円面リフレクタ１４，５４の第２焦点に向けて集束するビームの集束角やビームスポットを小さくすることができるため、各凹レンズ１８，５８の大きさ、各偏光分離光学素子２０，６０の大きさ、偏光ビームコンバイナ９０の大きさをさらに小さくすることができ、照明装置のさらなる小型化を図ることができる。
【００８７】
実施形態１に係る照明装置１００においては、偏光ビームコンバイナ９０と第１の偏光分離光学素子２０、第１の偏光分離光学素子２０と第１の凹レンズ１８、偏光ビームコンバイナ９０と第２の偏光分離光学素子６０、及び第２の偏光分離光学素子６０と第２の凹レンズ５８は、それぞれ離隔して配置されているため、各光学要素間の位置調整を容易に行うことができるようになる。また、各光学要素に及ぼす熱的影響を軽減することができる。
【００８８】
なお、ここでは図示を省略したが、偏光ビームコンバイナ９０の第１の光入射面９４及び第２の光入射面９６、第１の偏光分離光学素子２０の光入射面及び光射出面、第２の偏光分離光学素子６０の光入射面及び光射出面、第１の凹レンズ１８の光入射面及び光射出面並びに第２の凹レンズ５８の光入射面及び光射出面には、減反射膜がコーティングされている。これにより、これら各光学要素に入射する照明光束並びにこれら各光学要素から射出される照明光束における不要な反射の発生を抑制することができる。
【００８９】
実施形態１に係る照明装置１００においては、第１のλ／２板３０及び第２のλ／２板７０の材料として水晶を用いている。
【００９０】
第１の偏光分離光学素子２０及び第２の偏光分離光学素子６０から射出される光は、単位面積当たりの光強度が極めて強いため、第１のλ／２板３０及び第２のλ／２板７０で少しの割合でも光が吸収されると多量の熱が発生し、第１のλ／２板３０及び第２のλ／２板７０の温度が上昇してしまう。実施形態１に係る照明装置１００によれば、第１のλ／２板３０及び第２のλ／２板７０として水晶を用いているため、第１のλ／２板３０及び第２のλ／２板７０の温度上昇を抑制することができる。
【００９１】
実施形態１に係る照明装置１００においては、２つの第１レンズアレイ１２０，１３０のそれぞれは、各第１小レンズ１２２，１３２が縦方向及び横方向をそれぞれ６行と４列とするマトリクス状に配列されたレンズアレイであるため、レンズアレイによる十分な光均一化効果を得ながら光路後段に配置される偏光変換素子１６０，１７０を比較的単純で小型の構造にすることが可能となる。実施形態１に係る照明装置１００は、画像形成領域のアスペクト比（縦横比）が３：４である液晶装置を備えるプロジェクタに好適な照明装置となる。
【００９２】
実施形態１に係る照明装置１００においては、各第２レンズアレイ１４０，１５０における横方向（ｘ軸方向）に沿った長さは、各第１レンズアレイ１２０，１３０における横方向（ｘ軸方向）に沿った長さと略同一であるため、第１レンズアレイ１２０，１３０及び第２レンズアレイ１４０，１５０として偏心のない又は偏心の小さいレンズアレイを用いることが可能となり、第１レンズアレイ１２０，１３０及び第２レンズアレイ１４０，１５０の製造が容易となる。
【００９３】
実施形態１に係る照明装置１００においては、２つの偏光変換素子１６０，１７０のそれぞれは、第２レンズアレイ１４０，１５０から射出される光束のうちＰ偏光成分に係る光束を透過しＳ偏光成分に係る光束をシステム光軸ＯＣから遠ざかる方向（ｘ軸方向）に向けて反射する偏光分離面１６２，１７２を有しているため、システム光軸ＯＣ（重畳レンズ１８０の光軸）近傍における光束の密度を減らすことができ、偏光変換素子１６０，１７０の配置の自由度を高めることが可能となる。
【００９４】
実施形態１に係るプロジェクタ１０００は、上記した実施形態１に係る照明装置１００と、照明装置１００からの光を画像情報に応じて変調する液晶装置４００Ｒ，４００Ｇ，４００Ｂと、液晶装置４００Ｒ，４００Ｇ，４００Ｂにより変調された光を投写する投写光学系６００とを備えている。
【００９５】
このため、実施形態１に係るプロジェクタ１０００によれば、上記した照明装置１００を備えているため、高輝度のプロジェクタであって、第１の光源装置１０及び第２の光源装置５０のうちいずれの光源装置において発光管の発光が弱まったり切れたりしても、投写画像の品質が劣化することを抑制することが可能なプロジェクタとなる。
【００９６】
なお、実施形態１に係る照明装置１００においては、偏光ビームコンバイナ９０と第１の偏光分離光学素子２０、第１の偏光分離光学素子２０と第１の凹レンズ１８、偏光ビームコンバイナ９０と第２の偏光分離光学素子６０、及び第２の偏光分離光学素子６０と第２の凹レンズ５８は、それぞれ離隔して配置されているが、本発明はこれに限定されるものではなく、例えば次のような変形も可能である。
【００９７】
［変形例１］
図８は、実施形態１の変形例１に係る照明装置１００ａの要部を示す平面図である。なお、図８において、図３と同一の部材については同一の符号を付し、詳細な説明は省略する。
【００９８】
実施形態１の変形例１に係る照明装置１００ａは、基本的には実施形態１に係る照明装置１００とよく似た構成を有しているが、図８に示すように、偏光ビームコンバイナと第１の偏光分離光学素子、及び偏光ビームコンバイナと第２の偏光分離光学素子がそれぞれ接着されている点で、実施形態１に係る照明装置１００とは異なっている。
【００９９】
すなわち、実施形態１の変形例１に係る照明装置１００ａにおいては、図８に示すように、偏光ビームコンバイナ９０の第１の光入射面９４と第１の偏光分離光学素子２０の光射出面及び第１のλ／２板３０とが、光学接着剤Ｃを介して接着されている。また、偏光ビームコンバイナ９０の第２の光入射面９６と第２の偏光分離光学素子６０の光射出面及び第２のλ／板７０とが、光学接着剤Ｃを介して接着されている。
【０１００】
このため、偏光ビームコンバイナ９０と第１の偏光分離光学素子２０との間、及び偏光ビームコンバイナ９０と第２の偏光分離光学素子６０との間における不要な反射を低減させることが可能となり、光利用効率が向上するとともに迷光レベルが低減する。
【０１０１】
［変形例２］
図９は、実施形態１の変形例２に係る照明装置１００ｂの要部を示す平面図である。なお、図９において、図３と同一の部材については同一の符号を付し、詳細な説明は省略する。
【０１０２】
実施形態１の変形例２に係る照明装置１００ｂは、基本的には実施形態１に係る照明装置１００とよく似た構成を有しているが、図９に示すように、偏光ビームコンバイナと第１の偏光分離光学素子、偏光ビームコンバイナと第２の偏光分離光学素子、第１の偏光分離光学素子と第１の光源装置における第１の凹レンズ、及び第２の偏光分離光学素子と第２の光源装置における第２の凹レンズがそれぞれ接着されている点で、実施形態１に係る照明装置１００とは異なっている。
【０１０３】
すなわち、実施形態１の変形例２に係る照明装置１００ｂにおいては、図９に示すように、偏光ビームコンバイナ９０の第１の光入射面９４と第１の偏光分離光学素子２０の光射出面及び第１のλ／２板３０とが、光学接着剤Ｃを介して接着されている。また、偏光ビームコンバイナ９０の第２の光入射面９６と第２の偏光分離光学素子６０の光射出面及び第２のλ／板７０とが、光学接着剤Ｃを介して接着されている。また、第１の偏光分離光学素子２０の光入射面と第１の凹レンズ１８の光射出面とが、光学接着剤Ｃを介して接着されている。また、第２の偏光分離光学素子６０の光入射面と第２の凹レンズ５８の光射出面とが、光学接着剤Ｃを介して接着されている。
【０１０４】
このため、偏光ビームコンバイナ９０と第１の偏光分離光学素子２０との間、偏光ビームコンバイナ９０と第２の偏光分離光学素子６０との間、第１の偏光分離光学素子２０と第１の凹レンズ１８との間、及び第２の偏光分離光学素子６０と第２の凹レンズ５８との間における不要な反射を低減させることが可能となり、光利用効率が向上するとともに迷光レベルが低減する。
【０１０５】
［実施形態２］
図１０は、実施形態２に係る照明装置１０２を説明するために示す図である。なお、図１０において、図２と同一の部材については同一の符号を付し、詳細な説明は省略する。
【０１０６】
実施形態２に係る照明装置１０２は、基本的には実施形態１に係る照明装置１００とよく似た構成を有しているが、第１レンズアレイと第２レンズアレイの大きさが異なっている点で、実施形態１に係る照明装置１００とは異なっている。
【０１０７】
すなわち、実施形態２に係る照明装置１０２においては、図１０に示すように、実施形態１に係る照明装置１００で用いた第１レンズアレイ１２０，１３０及び第２レンズアレイ１４０，１５０に代えて、第１レンズアレイ１２０Ｂ，１３０Ｂ及び第２レンズアレイ１４０Ｂ，１５０Ｂを用いている。第１レンズアレイ１２０Ｂ，１３０Ｂにおける各第１小レンズ１２２Ｂ，１３２Ｂ及び第２レンズアレイ１４０Ｂ，１５０Ｂにおける各第２小レンズ１４２Ｂ，１５２Ｂは、それぞれ偏心している。
【０１０８】
実施形態２に係る照明装置１０２においては、図１０に示すように、各第２レンズアレイ１４０Ｂ，１５０Ｂにおけるｘ軸方向に沿った長さは、各第１レンズアレイ１２０Ｂ，１３０Ｂにおけるｘ軸方向に沿った長さよりも長い。また、第２レンズアレイ１４０Ｂにおけるｘ軸方向に沿った長さと第２レンズアレイ１５０Ｂにおけるｘ軸方向に沿った長さとの和は、偏光ビームコンバイナ９０の光射出面のｘ軸方向に沿った長さと略同一である。
【０１０９】
このように、実施形態２に係る照明装置１０２は、第１レンズアレイと第２レンズアレイの大きさが異なっている点で、実施形態１に係る照明装置１００とは異なっているが、実施形態１に係る照明装置１００の場合と同様に、第１の偏光光源装置４０及び第２の偏光光源装置８０から互いに異なる偏光軸を有する直線偏光を射出させ、これらの直線偏光を偏光ビームコンバイナ９０における第１の光入射面９４及び第２の光入射面９６にそれぞれ入射させることにより、偏光ビームコンバイナ９０からは、第１の光源装置１０及び第２の光源装置５０からの照明光束が同じ角度をもって重畳された形で射出されるようになる。このため、第１の光源装置１０及び第２の光源装置５０のうちいずれの光源装置において発光管の発光が弱まったり切れたりしても、被照明領域における面内光強度分布が不均一になることを抑制することが可能となるとともに投写画像の品質が劣化することを抑制することが可能となる。
【０１１０】
実施形態２に係る照明装置１０２においては、各第２レンズアレイ１４０Ｂ，１５０Ｂにおけるｘ軸方向に沿った長さは、各第１レンズアレイ１２０Ｂ，１３０Ｂにおけるｘ軸方向に沿った長さよりも長いため、第２レンズアレイ１４０Ｂ，１５０Ｂにおける各第２小レンズ１４２Ｂ，１５２Ｂの大きさをある程度大きくすることができる。このため、第１レンズアレイ１２０Ｂ，１３０Ｂにおける各第１小レンズ１２２Ｂ，１３２Ｂのアーク像を各第２小レンズ１４２Ｂ，１５２Ｂ内に収めることが容易となり、光利用効率の向上を図ることが可能となる。
【０１１１】
実施形態２に係る照明装置１０２は、第１レンズアレイと第２レンズアレイの大きさが異なっている点以外の点では、実施形態１に係る照明装置１００と同様の構成を有するため、実施形態１に係る照明装置１００の場合と同様の効果を有する。
【０１１２】
［実施形態３］
図１１は、実施形態３に係る照明装置１０４を説明するために示す図である。なお、図１１において、図２と同一の部材については同一の符号を付し、詳細な説明は省略する。
【０１１３】
実施形態３に係る照明装置１０４は、基本的には実施形態１に係る照明装置１００とよく似た構成を有しているが、第１レンズアレイと第２レンズアレイの大きさが異なっている点で、実施形態１に係る照明装置１００とは異なっている。
【０１１４】
すなわち、実施形態３に係る照明装置１０４においては、図１１に示すように、実施形態１に係る照明装置１００で用いた第１レンズアレイ１２０，１３０及び第２レンズアレイ１４０，１５０に代えて、第１レンズアレイ１２０Ｃ，１３０Ｃ及び第２レンズアレイ１４０Ｃ，１５０Ｃを用いている。また、大きさの異なる第１レンズアレイ及び第２レンズアレイを用いたことに伴い、実施形態１に係る照明装置１００で用いた偏光変換素子１６０，１７０に代えて、偏光変換素子１６０Ｂ，１７０Ｂを用いている。第１レンズアレイ１２０Ｃ，１３０Ｃにおける各第１小レンズ１２２Ｃ，１３２Ｃ及び第２レンズアレイ１４０Ｃ，１５０Ｃにおける各第２小レンズ１４２Ｃ，１５２Ｃは、それぞれ偏心している。
【０１１５】
実施形態３に係る照明装置１０４においては、図１１に示すように、各第２レンズアレイ１４０Ｃ，１５０Ｃにおけるｘ軸方向に沿った長さは、各第１レンズアレイ１２０Ｃ，１３０Ｃにおけるｘ軸方向に沿った長さよりも長い。また、第１レンズアレイ１２０Ｃにおけるｘ軸方向に沿った長さと第１レンズアレイ１３０Ｃにおけるｘ軸方向に沿った長さとの和は、偏光ビームコンバイナ９０の光射出面のｘ軸方向に沿った長さと略同一である。
【０１１６】
このように、実施形態３に係る照明装置１０４は、第１レンズアレイと第２レンズアレイの大きさが異なっている点で、実施形態１に係る照明装置１００とは異なっているが、実施形態１に係る照明装置１００の場合と同様に、第１の偏光光源装置４０及び第２の偏光光源装置８０から互いに異なる偏光軸を有する直線偏光を射出させ、これらの直線偏光を偏光ビームコンバイナ９０における第１の光入射面９４及び第２の光入射面９６にそれぞれ入射させることにより、偏光ビームコンバイナ９０からは、第１の光源装置１０及び第２の光源装置５０からの照明光束が同じ角度をもって重畳された形で射出されるようになる。このため、第１の光源装置１０及び第２の光源装置５０のうちいずれの光源装置において発光管の発光が弱まったり切れたりしても、被照明領域における面内光強度分布が不均一になることを抑制することが可能となるとともに投写画像の品質が劣化することを抑制することが可能となる。
【０１１７】
実施形態３に係る照明装置１０４においては、各第２レンズアレイ１４０Ｃ，１５０Ｃにおけるｘ軸方向に沿った長さは、各第１レンズアレイ１２０Ｃ，１３０Ｃにおけるｘ軸方向に沿った長さよりも長いため、第２レンズアレイ１４０Ｃ，１５０Ｃにおける各第２小レンズ１４２Ｃ，１５２Ｃの大きさをある程度大きくすることができる。このため、第１レンズアレイ１２０Ｃ，１３０Ｃにおける各第１小レンズ１２２Ｃ，１３２Ｃのアーク像を各第２小レンズ１４２Ｃ，１５２Ｃ内に収めることが容易となり、光利用効率の向上を図ることが可能となる。
【０１１８】
実施形態３に係る照明装置１０４は、第１レンズアレイと第２レンズアレイの大きさが異なっている点以外の点では、実施形態１に係る照明装置１００と同様の構成を有するため、実施形態１に係る照明装置１００の場合と同様の効果を有する。
【０１１９】
［実施形態４］
図１２は、実施形態４に係る照明装置１０６を説明するために示す図である。なお、図１２において、図２と同一の部材については同一の符号を付し、詳細な説明は省略する。
【０１２０】
実施形態４に係る照明装置１０６は、基本的には実施形態１に係る照明装置１００とよく似た構成を有しているが、偏光変換素子の構成が実施形態１に係る照明装置１００とは異なっている。
【０１２１】
すなわち、実施形態４に係る照明装置１０６においては、図１２に示すように、実施形態１に係る照明装置１００で用いた偏光変換素子１６０，１７０に代えて、偏光変換素子１６０Ｃ，１７０Ｃを用いている。また、構成の異なる偏光変換素子を用いたことに伴い、実施形態１に係る照明装置１００で用いた第１レンズアレイ１２０，１３０及び第２レンズアレイ１４０，１５０に代えて、第１レンズアレイ１２０Ｄ，１３０Ｄ及び第２レンズアレイ１４０Ｄ，１５０Ｄを用いている。第１レンズアレイ１２０Ｄ，１３０Ｄにおける各第１小レンズ１２２Ｄ，１３２Ｄ及び第２レンズアレイ１４０Ｄ，１５０Ｄにおける各第２小レンズ１４２Ｄ，１５２Ｄは、それぞれ偏心している。
【０１２２】
偏光変換素子１６０Ｃは、第２レンズアレイ１４０Ｄから射出される光束のうちＰ偏光成分に係る光束を透過しＳ偏光成分（他方の偏光成分）に係る光束をシステム光軸ＯＣから遠ざかる方向又は近づく方向に向けて反射する偏光分離面１６２Ｃ１〜１６２Ｃ４と、偏光分離面１６２Ｃ１〜１６２Ｃ４で反射されたＳ偏光成分に係る光束を偏光分離面１６２Ｃ１〜１６２Ｃ４を透過したＰ偏光成分に係る光束に平行な方向（ｚ軸方向）に向けて反射する反射面１６４Ｃと、偏光変換素子１６０Ｃの光射出面におけるＰ偏光成分に係る光束が射出される位置に配置され、Ｐ偏光成分に係る光束をＳ偏光成分に係る光束に変換する位相差板としてのλ／２板１６６Ｃとを有している。
【０１２３】
偏光変換素子１６０Ｃにおける４つの偏光分離面１６２Ｃ１〜１６２Ｃ４のうち、システム光軸ＯＣから遠い位置に配置された２つの偏光分離面１６２Ｃ１，１６２Ｃ２は、Ｓ偏光成分に係る光束をシステム光軸ＯＣから遠ざかる方向に向けて反射するように配置され、システム光軸ＯＣに近い位置に配置された２つの偏光分離面１６２Ｃ３，１６２Ｃ４は、Ｓ偏光成分に係る光束をシステム光軸ＯＣに近づく方向に向けて反射するように配置されている。
【０１２４】
偏光変換素子１７０Ｃも、偏光変換素子１６０Ｃと同様の構成を有し、第２レンズアレイ１５０Ｄから射出される光束のうちＰ偏光成分に係る光束を透過しＳ偏光成分に係る光束をシステム光軸ＯＣから遠ざかる方向又は近づく方向に向けて反射する偏光分離面１７２Ｃ１〜１７２Ｃ４と、偏光分離面１７２Ｃ１〜１７２Ｃ４で反射されたＳ偏光成分に係る光束を偏光分離面１７２Ｃ１〜１７２Ｃ４を透過したＰ偏光成分に係る光束に平行な方向（ｚ軸方向）に向けて反射する反射面１７４Ｃと、偏光変換素子１７０Ｃの光射出面におけるＰ偏光成分に係る光束が射出される位置に配置され、Ｐ偏光成分に係る光束をＳ偏光成分に係る光束に変換する位相差板としてのλ／２板１７６Ｃとを有している。
【０１２５】
偏光変換素子１７０Ｃにおける４つの偏光分離面１７２Ｃ１〜１７２Ｃ４のうち、システム光軸ＯＣから遠い位置に配置された２つの偏光分離面１７２Ｃ１，１７２Ｃ２は、Ｓ偏光成分に係る光束をシステム光軸ＯＣから遠ざかる方向に向けて反射するように配置され、システム光軸ＯＣに近い位置に配置された２つの偏光分離面１７２Ｃ３，１７２Ｃ４は、Ｓ偏光成分に係る光束をシステム光軸ＯＣに近づく方向に向けて反射するように配置されている。
【０１２６】
このように、実施形態４に係る照明装置１０６は、実施形態１に係る照明装置１００とは偏光変換素子の構成が異なっているが、実施形態１に係る照明装置１００の場合と同様に、第１の偏光光源装置４０及び第２の偏光光源装置８０から互いに異なる偏光軸を有する直線偏光を射出させ、これらの直線偏光を偏光ビームコンバイナ９０における第１の光入射面９４及び第２の光入射面９６にそれぞれ入射させることにより、偏光ビームコンバイナ９０からは、第１の光源装置１０及び第２の光源装置５０からの照明光束が同じ角度をもって重畳された形で射出されるようになる。このため、第１の光源装置１０及び第２の光源装置５０のうちいずれの光源装置において発光管の発光が弱まったり切れたりしても、被照明領域における面内光強度分布が不均一になることを抑制することが可能となるとともに投写画像の品質が劣化することを抑制することが可能となる。
【０１２７】
実施形態４に係る照明装置１０６は、偏光変換素子の構成以外の点では、実施形態１に係る照明装置１００と同様の構成を有するため、実施形態１に係る照明装置１００の場合と同様の効果を有する。
【０１２８】
以上、本発明の照明装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１２９】
（１）上記実施形態１に係るプロジェクタ１０００においては、液晶装置として、画像形成領域が「短辺：長辺＝３：４の長方形」の平面形状を有する液晶装置４００Ｒ，４００Ｇ，４００Ｂを用いたが、本発明はこれに限定されるものではなく、画像形成領域が「短辺：長辺＝９：１６の長方形」の平面形状を有するワイドビジョン用の液晶装置を用いることもできる。この場合、第１レンズアレイとしては、複数の第１小レンズがｚ軸に垂直な面内に７行・４列のマトリクス状に配列された構成を有するものを用いることが好ましい。
【０１３０】
（２）上記各実施形態の照明装置１００〜１０６においては、第１の光源装置及び第２の光源装置として、楕円面リフレクタと、楕円面リフレクタの第１焦点近傍に発光中心を有する発光管と、楕円面リフレクタで反射された集束光を偏光分離光学素子における光入射面に向けて射出する凹レンズとを有する光源装置を用いたが、本発明はこれに限定されるものではない。放物面リフレクタと、放物面リフレクタの焦点近傍に発光中心を有する発光管とを有する光源装置をも好ましく用いることができる。
【０１３１】
（３）上記各実施形態の照明装置１００〜１０６においては、発光管に反射手段としての補助ミラーが配設された照明装置を例示して説明しているが、本発明はこれに限定されるものではなく、補助ミラーが配設されていない照明装置に本発明を適用することも可能である。
【０１３２】
（４）上記各実施形態の照明装置１００〜１０６においては、偏光ビームコンバイナとして、２つの三角柱プリズムが貼り合わされたキューブタイプの偏光ビームコンバイナ９０を用いたが、本発明はこれに限定されるものではなく、プレートタイプの偏光ビームコンバイナをも好ましく用いることができる。また、上記各実施形態の照明装置１００〜１０６においては、第１の偏光分離光学素子及び第２の偏光分離光学素子として、プリズムを備えた偏光分離光学素子を用いたが、本発明はこれに限定されるものではなく、プレートタイプの偏光分離光学素子をも好ましく用いることができる。なお、プレートタイプの偏光ビームコンバイナ及びプレートタイプの偏光分離光学素子としては、透光性の基板に偏光分離膜を設けた構成のものなどを適宜採用することができる。
【０１３３】
（５）上記各実施形態の照明装置１００〜１０６においては、第１の偏光光源装置４０がＰ偏光成分に係る照明光束を射出し、第２の偏光光源装置８０がＳ偏光成分に係る照明光束を射出し、偏光ビームコンバイナ９０がＰ偏光成分に係る照明光束を透過しＳ偏光成分に係る照明光束を反射する偏光合成面９２を備える構成としたが、本発明はこれに限定されるものではなく、第１の偏光光源装置がＳ偏光成分に係る照明光束を射出し、第２の偏光光源装置がＰ偏光成分に係る照明光束を射出し、偏光ビームコンバイナがＳ偏光成分に係る照明光束を透過しＰ偏光成分に係る照明光束を反射する偏光合成面を備える構成とすることも可能である。
【０１３４】
（６）上記実施形態１に係るプロジェクタ１０００は透過型のプロジェクタであるが、本発明はこれに限定されるものではない。反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置のように光変調手段としての電気光学変調装置が光を反射するタイプであることを意味している。反射型のプロジェクタにこの発明を適用した場合にも、透過型のプロジェクタと同様の効果を得ることができる。 
【０１３５】
（７）上記実施形態１に係るプロジェクタ１０００においては、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【０１３６】
（８）上記実施形態１に係るプロジェクタ１０００は、電気光学変調装置として液晶装置を用いているが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【０１３７】
（９）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１３８】
【図１】実施形態１に係る照明装置１００及びプロジェクタ１０００を説明するために示す図。
【図２】実施形態１に係る照明装置１００を説明するために示す図。
【図３】実施形態１に係る照明装置１００を説明するために示す図。
【図４】第１レンズアレイ１２０，１３０の正面図。
【図５】実施形態１に係るプロジェクタ１０００のインテグレータ光学系における光線を示す図。
【図６】第１の光源装置１０の第１の発光管１２の発光が切れたときの照明状態を説明するために示す図。
【図７】第２の光源装置５０の第２の発光管５２の発光が切れたときの照明状態を説明するために示す図。
【図８】実施形態１の変形例１に係る照明装置１００ａの要部を示す平面図。
【図９】実施形態１の変形例２に係る照明装置１００ｂの要部を示す平面図。
【図１０】実施形態２に係る照明装置１０２を説明するために示す図。
【図１１】実施形態３に係る照明装置１０４を説明するために示す図。
【図１２】実施形態４に係る照明装置１０６を説明するために示す図。
【符号の説明】
【０１３９】
１０，５０…光源装置、１０ａｘ，５０ａｘ…光源装置の光軸、１２，５２…発光管、１４，５４…楕円面リフレクタ、１６，５６…補助ミラー、１８，５８…凹レンズ、２０，６０…偏光分離光学素子、２２，６２，１６２，１７２，１６２Ｂ，１７２Ｂ，１６２Ｃ１〜１６２Ｃ４，１７２Ｃ１〜１７２Ｃ４…偏光分離面、２４，６４，１６４，１７４，１６４Ｂ，１７４Ｂ，１６４Ｃ，１７４Ｃ…反射面、３０，７０，１６６，１７６，１６６Ｂ，１７６Ｂ，１６６Ｃ，１７６Ｃ…λ／２板、４０，８０…偏光光源装置、９０…偏光ビームコンバイナ、９２…偏光合成面、９４…（偏光ビームコンバイナの）第１の光入射面、９６…（偏光ビームコンバイナの）第２の光入射面、１００，１００ａ，１００ｂ，１０２，１０４，１０６…照明装置、１００ａｘ，１０２ａｘ，１０４ａｘ，１０６ａｘ…照明光軸、１２０，１２０Ｂ，１２０Ｃ，１２０Ｄ，１３０，１３０Ｂ，１３０Ｃ，１３０Ｄ…第１レンズアレイ、１２２，１２２Ｂ，１２２Ｃ，１２２Ｄ，１３２，１３２Ｂ，１３２Ｃ，１３２Ｄ…第１小レンズ、１４０，１４０Ｂ，１４０Ｃ，１４０Ｄ，１５０，１５０Ｂ，１５０Ｃ，１５０Ｄ…第２レンズアレイ、１４２，１４２Ｂ，１４２Ｃ，１４２Ｄ，１５２，１５２Ｂ，１５２Ｃ，１５２Ｄ…第２小レンズ、１６０，１６０Ｂ，１６０Ｃ，１７０，１７０Ｂ，１７０Ｃ…偏光変換素子、１８０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…液晶装置、５００…クロスダイクロイックプリズム、６００…投写光学系、１０００…プロジェクタ、Ｃ…光学接着剤、ＯＣ…システム光軸、ＳＣＲ…スクリーン
【図１】
2007193161.tif 000003
【図２】
2007193161.tif 000004
【図３】
2007193161.tif 000005
【図６】
2007193161.tif 000006
【図７】
2007193161.tif 000007
【図８】
2007193161.tif 000008
【図９】
2007193161.tif 000009
【図１０】
2007193161.tif 000010
【図１１】
2007193161.tif 000011
【図１２】
2007193161.tif 000012
【図４】
2007193161.tif 000013
【図５】
2007193161.tif 000014